(57)【要約】【課題】装置の小型化を図り得るＩＣカードの処理装置を提供すること。【解決手段】ＩＣカードの処理装置Ａは、ＩＣカード表面の画像を読み取るスキャナ１０と、ＩＣカードに蓄積された情報を非接触で読み取るリーダ２０と、スキャナ１０をＩＣカードの一端から他端へ移動させるベルト伝動機構（ベルト３４、プーリ３５ａ及び３５ｂ、ギヤードモータ３６等）と、を備え、スキャナ１０とリーダ２０とを重ねて配置できるようにした。【選択図】  図２
2004240739.tif 000002
【特許請求の範囲】
【請求項１】
ＩＣカード表面の画像を読み取る画像読取手段と、
前記ＩＣカードに蓄積された情報を非接触で読み取る情報読取手段と、
前記画像読取手段を前記ＩＣカードの一端から他端へ移動させる移動手段と、
を備えたことを特徴とするＩＣカードの処理装置。
【請求項２】
前記ＩＣカードが載置される載置部を更に備え、
前記画像読取手段は、前記載置部の下方に配置され、
前記情報読取手段は、前記画像読取手段の下方に配置されたことを特徴とする請求項１に記載のＩＣカードの処理装置。
【請求項３】
前記情報読取手段は、
前記画像読取手段が前記移動手段により移動される間に前記情報を読み取ることを特徴とする請求項１又は２に記載のＩＣカードの処理装置。
【発明の詳細な説明】
【０００１】
【発明の属する技術分野】
本発明は、ＩＣカードから情報及び画像を読み取る処理装置に関する。
【０００２】
【従来の技術】
非接触で情報の読み書きが可能なＩＣチップを搭載したＩＣカードが普及しつつある。また、このようなＩＣカードの発行、照合等の際に、ＩＣチップに対する情報を読み取ると共にカード表面の画像を読み取り、文字認識等を施して処理する処理装置が提案されている（例えば、特許文献１）。従来のＩＣカードの処理装置は、一般に、ＩＣカードを搬送する搬送機構と固定配置されたスキャナ及びＩＣチップのリーダとを備えており、搬送機構によりＩＣカードをスキャナ及びリーダ下を通過するように搬送し、ＩＣカード表面の画像及びＩＣチップに蓄積された情報を読み取るようにしている。
【０００３】
【特許文献１】特開平９−１３８８３９号公報
【０００４】
【発明が解決しようとする課題】
しかし、従来の処理装置においては、カードの搬送方向にスキャナとリーダとを配置するレイアウトしか採用し得ず、装置の小型化を図ることが困難である。
【０００５】
従って、本発明の目的は、装置の小型化を図り得るＩＣカードの処理装置を提供することにある。
【０００６】
【課題を解決するための手段】
本発明によれば、ＩＣカード表面の画像を読み取る画像読取手段と、前記ＩＣカードに蓄積された情報を非接触で読み取る情報読取手段と、前記画像読取手段を前記ＩＣカードの一端から他端へ移動させる移動手段と、を備えたことを特徴とするＩＣカードの処理装置が提供される。
【０００７】
本発明においては、前記ＩＣカードが載置される載置部を更に備え、前記画像読取手段は、前記載置部の下方に配置され、前記情報読取手段は、前記画像読取手段の下方に配置されてもよい。
【０００８】
また、本発明においては、前記情報読取手段は、前記画像読取手段が前記移動手段により移動される間に前記情報を読み取るようにしてもよい。
【０００９】
【発明の実施の形態】
以下、本発明の好適な実施の形態について図面を参照して説明する。図１は、本発明の一実施形態に係るＩＣカードの処理装置Ａの外観斜視図である。処理装置Ａは、方形の箱状の外観をなし、その上面の一部がＩＣカードの形状に切り抜かれており、そこに透明板１が配置されてＩＣカードの載置部が形成されている。処理されるＩＣカードは、画像の読取面となる表面がこの透明板１に面するようにして透明板１上に手作業等によって載置される。
【００１０】
次に、処理装置Ａの内部の構成について説明する。図２（ａ）は処理装置Ａの主たる構成を示す、上面を取り除いた処理装置Ａの平面視図、（ｂ）は図２（ａ）の線ＸＸに沿う断面図である。処理装置Ａは、ＩＣカード表面の画像を読み取る画像読取手段として機能するスキャナ１０と、ＩＣカードのＩＣチップに蓄積された情報を非接触で読み読み取る情報読取手段として機能するリーダ２０と、を備える。
【００１１】
スキャナ１０は、その上面にスリット１１を備え、このスリット１１を介して透明板１上に載置されたＩＣカード表面の画像を読み取るライン型の画像読取器である。後述するように本実施形態においてスキャナ１０は、所定の方向（ＩＣカードの長手方向）に移動されるが、スリット１０はこの移動方向に直交する方向（ＩＣカードの短手方向）に設けられており、その長さはＩＣカードの幅（短手方向の幅）と略同じか、若干長く設定されている。なお、図２はスキャナ１０が、その移動の途中の位置に存在する場合を図示したものである。
【００１２】
図３（ａ）はスキャナ１０の構成を示す断面図である。スキャナ１０は、スリット１１を形成する上板に設けられた光源１２と、ミラー１３と、レンズ１４と、ＣＣＤセンサ等の撮像素子１５と、を備える。そして、その読み取り時には、光源１２の発光により、ＩＣカードで反射された反射光がスリット１１を通過してミラー１３においてレンズ１４へ更に反射され、レンズ１４を通過したのち撮像素子１５によって画像が撮像されることになる。本実施形態では、ＩＣカードとスキャナ１０とが近接しているため、このようにレンズ１４を介して撮像することにより、読み取られる画像の大きさを調整している。
【００１３】
次に、リーダ２０としては一般的なリーダが採用可能である。図３（ｂ）は、ＩＣチップの構成例を示した図である。ＩＣチップは、情報が蓄積されたメモリと、ロジック回路と、アンテナに接続されたＲＦ回路と、を有し、アンテナを介してリーダ２０と非接触で情報通信を行い、メモリに蓄積された情報がリーダ２０により読み取られる。なお、本実施形態では、専らＩＣチップから情報を読み取る場合を想定してリーダ２０を採用しているが、これに代えて、ＩＣチップへ情報を書き込み可能な読取・書込手段である、リード／ライタを設け、情報の読み取りのみならず、カードの処理内容に応じて書き込みを行うようにしてもよい。
【００１４】
次に、本実施形態においては、スキャナ１０とリーダ２０との配置について、載置部を構成する透明板１の下方にスキャナ１０を配置し、また、スキャナ１０の下方に、換言すれば、スキャナ１０の移動経路の下方にリーダ２０を配置している。本実施形態では、後述するようにスキャナ１０を移動する構成としているので、載置部−スキャナ１０−リーダ２０という順序でこれらを配置することを可能としている。なお、本実施形態では、載置部の下方にスキャナ１０及びリーダ２０を配置しているが、これに限られず、載置部の上方にスキャナ１０とリーダ２０とを配置してもよく、また、ＩＣカードが横置きではなく縦置きで載置されるような構成を採用する場合には、上下方向のみならず横方向（載置されるＩＣカードの法線方向）に載置部、スキャナ１０及びリーダ２０を配置してもよい。更に、スキャナ１０−載置部−リーダ２０の順又はこの逆にこれらを配置することも可能である。但し、スキャナ１０とリーダ２０との間の信号の干渉等を防止する観点から言えば、スキャナ１０とリーダ２０との間に載置部を挟む構成よりも、載置部のいずれか一方にスキャナ１０とリーダ２０とが配置される方が望ましい。
【００１５】
次に、図２を参照してスキャナ１０の移動機構について説明する。本実施形態では、載置されるＩＣカードの一端から他端へ（本実施形態では長手方向を想定している。）へスキャナ１０を移動させる移動機構として以下の構成を備える。
【００１６】
スキャナ１０は、基台３０に搭載されており、この基台３０と共に移動可能としている。基台３０の両側には、それぞれ２つづつ案内棒３２が挿通するガイド３１が設けられている。案内棒３２はスキャナの移動方向に延在し、基台３０の両側に位置するように一対設けられており、その両端がそれぞれ支持部材３３ａ及び３３ｂに支持されている。そして、スキャナ１０を搭載した基台３０は、ガイド３１を介して案内棒３２に案内されて左右方向に直線的に往復移動可能とされている。
【００１７】
この基台３０に移動力を付勢するために、本実施形態では、ベルト３４を用いたベルト伝動機構を採用している。環状のベルト３４は、案内棒３２と略平行に配置されており、その両端に配置されたプーリ３５ａ及び３５ｂ間に張設されている。プーリ３５ａはギヤードモータ３６の出力軸に取り付けられており、プーリ３５ｂは支持部材３３ａに回転自在に支持されている。そして、ギヤードモータ３６によりプーリ３５ａが回転力を付勢されると、ベルト３４が循環的に走行し、その方向はギヤードモータ３６の回転方向に従うことになる。ベルト３４と基台３０との間は、接続具３７で接続されており、ベルト３４が走行するとこれに伴って基台３０も移動し、基台３０上に搭載されたスキャナ１０の移動が可能となる。また、プーリ３５ｂにはロータリーエンコーダ３８の入力軸が取り付けられており、その回転量が検出される。このため、基台３０の移動量を検出することができ、スキャナ１０の移動制御が可能となる。
【００１８】
最後に、処理装置Ａは制御部４０を内蔵しており、この制御部４０は、上記各構成を制御する制御回路、電源回路等を有する。
【００１９】
次に、係る構成からなる処理装置Ａの動作を説明する。図４（ａ）乃至（ｃ）は、処理装置Ａのスキャナ１０及びリーダ２０の動作説明図である。まず、図４（ａ）に示すように、スキャナ１０の読み取り位置（スリット１１の位置）が載置されたＩＣカードの一端にセットされ、画像の読み取りが開始される。この初期の態様においては、リーダ２０上にスキャナ１０が存在しており、リーダ２０による情報の読み取り動作は行われない。そして、画像の読み取りと並行してギヤードモータ３６の回転駆動によりスキャナ１０をＩＣカードの他端へ向けて移動させる。スキャナ１０を移動させることで、ライン単位で画像が順次読み取られ、最終的にＩＣカード表面全体の画像が読み取られる。
【００２０】
スキャナ１０の移動に伴って、図４（ｂ）に示すようにリーダ２０上からスキャナ１０が退避することになる。このとき、リーダ２０によりＩＣカードのＩＣチップにアクセスし、これに蓄積された情報が読み取られる。本実施形態では、このようにスキャナ１０が移動される間にリーダ２０による情報の読み取りが可能となり、画像の読み取りと情報の読み取りとを並行して行うことができ、これらを別々に行う場合に比べて処理時間を短縮できる。最後に、スキャナ１０が移動して、その読み取り位置がＩＣカードの他端に至ると（図４（ｃ））、ＩＣカード表面全体の画像の読み取りとＩＣチップに蓄積された情報の読み取りとが終了し、１単位の処理が終了する。この後、別のＩＣカードが載置され、同様の処理が繰り返される。
【００２１】
なお、スキャナ１０の初期位置を図４（ａ）の位置ではなく図４（ｃ）の位置とし、スキャナ１０を上述した例とは逆方向に移動しながら画像の読み取り動作を行ってもよい。この場合、リーダ２０による情報の読み取りは、スキャナ１０が図４（ｃ）の位置からリーダ２０上に至るまでの間に行えばよい。また、あるＩＣカードを処理する場合には、上述した例のように図４（ａ）から（ｃ）の順でスキャナ１０を移動して読み取り動作を行い、次のＩＣカードを処理する場合には、スキャナ１０を図４（ａ）の位置に戻さずに、図４（ｃ）から（ａ）の順でスキャナ１０を移動することにより、スキャナ１０の往復移動の間に２枚のＩＣカードを処理するようにしてもよい。
【００２２】
以上述べたように、本実施形態では、従来のようにＩＣカードを移動せずに、画像を読み取るスキャナ１０を移動するようにしたので、ＩＣカードの法線方向にスキャナ１０とリーダ２０とを配置することが可能となり、従来のようにこれらをカードの搬送方向に並べる必要がない。従って、処理装置の小型化を図ることができる。また、画像の読み取りと情報の読み取りとを並行して行うことができるので、処理時間を短縮することもできる。
【００２３】
【発明の効果】
以上説明したように、本発明によれば、装置の小型化を図り得るＩＣカードの処理装置が提供される。
【図面の簡単な説明】
【図１】本発明の一実施形態に係るＩＣカードの処理装置Ａの外観斜視図である。
【図２】（ａ）は処理装置Ａの主たる構成を示す、上面を取り除いた処理装置Ａの平面視図、（ｂ）は図２（ａ）の線ＸＸに沿う断面図である。
【図３】（ａ）はスキャナ１０の構成を示す断面図、（ｂ）ＩＣチップの構成例を示した図である。
【図４】（ａ）乃至（ｃ）は処理装置Ａのスキャナ１０及びリーダ２０の動作説明図である。
【符号の説明】
Ａ  処理装置
１  透明板（載置部）
１０  スキャナ
２０  リーダ
３０  基台
３１  ガイド
３２  案内棒
３４  ベルト
３５ａ、ｂ  プーリ
３６  ギヤードモータ
３７  接続具
３８  ロータリーエンコーダ
【図１】
2004240739.tif 000003
【図２】
2004240739.tif 000004
【図３】
2004240739.tif 000005
【図４】
2004240739.tif 000006